(57)【要約】【課題】編集作業を行うために、磁気記憶装置に記録されたファイル（動画像）を読み出すと、その内容を示すＭ−アイコンが時系列に順に表示される。このとき、実際に編集に使用するＭ−アイコンを探し出したり、必要なシーンを探し出したりするのには、時間がかかったり、見逃しがあった。【解決手段】画像処理を行うことで、複数のＭ−アイコンの中から検出目的のフレームが含まれるＭ−アイコン（カット）を特定する機能と、Ｍ−アイコンの表示方法（並べ方）を指定する機能を設ける。これにより、まとまった意味持つ区間（通常、個々のシーンを示す）を明示する事ができ、編集作業の効率がアップする。【選択図】図１
2005130525.tif 000002
【特許請求の範囲】
【請求項１】
動画像編集装置を用い、複数のフレーム画像の集合からなるカットと、該カットの少なくとも１つ以上よりなるシーンとにより動画像を編集する方法であって、該動画像をカット毎に分割し、該分割された各カットと関連付けた表示用画像を作成し、該作成した表示用画像を表示装置に表示し、該表示された表示用画像の中から所望の表示用画像を選択し、該表示用画像による階層構造を作成して動画像を編集する方法において、前記表示用画像から特徴検出によって特定の表示用画像を検出し、該検出された特定の表示用画像を前記特徴検出の結果に基づき並び替えて前記表示装置に別のウインドウで表示したことを特徴とする動画像編集方法。
【請求項２】
動画像をカット毎に分割する手段と、該分割された各カットと関連付けた表示用画像を作成する手段と、該作成した表示用画像を表示装置に表示する手段と、該表示された表示用画像から所望の表示用画像を選択する手段と、該表示用画像による階層構造を作成する手段とを有し動画像を編集する動画像編集装置において、該分割されたカットと関連付けられた表示用画像から特徴検出によって特定の表示用画像を検出する手段と、該検出された特定の表示用画像を含む表示用画像を前記特徴検出の結果に基づき並び替える手段と、前記並び替えた表示用画像を別のウインドウで表示する手段と、前記表示用画像及び該表示用画像の表示画面での表示方法を変更する手段とを有し前記表示装置に表示したことを特徴とする動画像編集装置。
【発明の詳細な説明】
【技術分野】
【０００１】
本発明は、テレビジョン放送番組制作、ビデオ番組制作などの動画像制作などに用いられる動画像編集装置に関する。
【背景技術】
【０００２】
テレビジョン放送番組制作やビデオ番組制作において、コンピュータを用いることによる高機能化が急速に進展している。特に近年はビデオテープレコーダによって、テープカウンタを頼りに、早送り、巻き戻しを繰り返すような映像編集方法ではなく、廉価で取り扱いや保存が容易な、ハードディスク等のランダムアクセスが可能な記憶装置に映像情報を格納することによって編集を行う方法が動画像編集装置に用いられている。ここで、映像情報とは音声を含む映像に関するすべての情報のことである。
【０００３】
図３は従来の動画像編集装置の構成の一例を示す図である。301はＣＰＵ、302はメモリ、303はカット変化点検出部、304はＶＴＲ、305はビデオインターフェース、306は磁気記憶装置、307はフレームバッファ、308はモニタ、309は入力装置、310はバスである。メモリ302、カット変化点検出部303、ビデオインターフェース305、磁気記憶装置306、フレームバッファ307、モニタ308及び、入力装置309はバス310を通してＣＰＵ301に接続され、ＶＴＲ304は前記ビデオインターフェース305に接続されている。 図３において、ＣＰＵ301はバス310によって接続されている構成要素と信号を送受し合い、該構成要素は前記ＣＰＵ301からのアクセス信号により制御される。また、前記ＣＰＵ301への指示はオペレータが入力装置（マウスまたはキーボード）309によって行う。ＶＴＲ304は、複数のシーンからなる一連の動画像を再生し、該再生した動画像をビデオインターフェース305に送る。該ビデオインターフェース305は、送られてきた動画像をこの動画像編集装置で扱うフォーマットに変換し、カット変化点検出部303及びメモリ302並びに磁気記憶装置306に送る。該カット変化点検出部303は送られてきた動画像からカットの変化点を検出する。前記メモリ302は、前記ＣＰＵ301の各種制御プログラムを記憶する。前記ＣＰＵ301は、前記検出されたカットの変化点のフレーム番号と、Ｍ−アイコン（Ｍｏｖｉｎｇ Ｉｃｏｎ）と、Ｍ−アイコンファイル名と、カット番号と、シーケンス番号と、それらを制御するための制御情報とを前記磁気記憶装置306に格納する。
【０００４】
磁気記憶装置等に記録された、動画像を構成する画像データは複数のシーンの集合として定義できる。また「カット」は、カメラでの１回の撮影動作開始から終了までの区間で撮影されたフレーム画像の集合として定義される。この動画像編集装置では、Ｍ−アイコンがこの区間のフレーム画像と１対１に対応するＧＵＩとなっている。ここで「Ｍ−アイコン」は、複数のフレームからなる動画像全体あるいはシーンを高速に表示して見る場合に、高速表示用及びカットの代表画像として表示される画像サイズに合わせて縮小した表示用画像である。また「シーン」は、ある決まった撮影対象を撮影した複数のカットを集合したものである。複数のシーンはさらに特定の撮影テーマ（番組）としてまとめることができる。このように、映像素材は複数のカットと、該複数のカットを幾つかまとめたシーンと、該幾つかのシーンをまとめた撮影テーマ（あるいは題名）を有する動画というような、階層構造の映像データとして整理できる。前記フレーム番号，前記カット番号，前記シーケンス番号のデータはこの階層構造に整理されており、前記制御情報はこれらの階層構造情報を含んでいる。ここで、カット番号とは複数のフレームからなるカットに、シリアルに付与されている番号である。シーケンス番号とはシーンを構成する複数のカットの順序を表わす番号である。
【０００５】
モニタ308は動画像編集に用いるシーン、カットおよび編集状態を表す階層構造（ツリー構造）の情報などを表示するＧＵＩ（Ｇｒａｐｈｉｃａｌ ＵｓｅｒＩｎｔｅｒｆａｃｅ）画面で、オペレータはこの画面によって入力装置309から動画像編集装置に指示を与える。フレームバッファ307は、前記モニタ308に表示するための画像を記憶する。
【０００６】
上記装置により、動画像をこのような階層構造で記憶して管理することができ、オペレータがシーンやカットを単位とした編集作業が行えるようになっている。
カットの変化点を検出する手段としては、例えば、特開平２−１８４１８１号に示されているように、各画像間の照度や音量，色調などを解析し、この変化が著しい部分をカットの変化点として検出するものがある。
【０００７】
また、上述の編集装置の動作や、Ｍ−アイコン（表示用画像）を用いて、ツリー構造を作成しながら編集を行う方法は、例えば、特願平０９−９６１３１号に記載されている。
図２は、具体例として編集素材にニュース番組を仮定して、その内容毎に別のニュース番組を作成する（例えばダイジェストを作成するような）場合にモニタ308に表示された編集画面の一例である。 100は編集用ウインドウ、101は編集エリア、102は素材エリア、103はＭ−アイコン、104は編集内容を表すＭ−アイコンのツリー構造、105は編集機能ボタン群、107は横方向に表示画面をスライドさせるスライダ、108と109は縦方向に表示画面をスライドさせるスライダ、121が編集中のカットを表すＭ−アイコン、122がシーンを表すＭ−アイコン、123が特定のシーンの集合を表すＭ−アイコン、124は番組を表すＭ−アイコンである。
【０００８】
前記編集エリア101中のＭ−アイコンのツリー構造104は、編集中のカットを表すＭ−アイコン121が複数個集合して、その階層の上部にシーンを表すＭ−アイコン122を構成し、更に、該シーンを表すＭ−アイコン122が複数個集合してその階層の上部に特定のシーンの集合を表すＭ−アイコン123を構成し、最後に該特定のシーンの集合を表すＭ−アイコン123が複数個集合して番組を表すＭ−アイコン124を構成している。尚、ツリー構造の階層数は任意であることはもちろんであるが、前記編集エリア101の画面の大きさに限りがあるため、図２ではツリー構造104の全体が表示されていない。この表示されていない部分を表示させるためには、スライダ107によって横方向に表示を移動させ、縦方向にはスライダ108によって表示を移動させることによって全体を見る。
【０００９】
今、すでに編集エリア101には上述のようなツリー構造104ができている。ここで更に素材エリア102内からＭ-アイコン103を選択して編集を続ける。
カット変化点検出部303で検出された各々のカットからＭ−アイコン103が抽出され、編集に使用する素材を一時的に置いておくための素材エリア102にＭ−アイコン103として一覧表示されている。画像の呼び出しを行った段階では、前記Ｍ−アイコン103は前記素材エリア102に時系列順に左から右、上から下に向かって表示される。この素材エリア102中のＭ-アイコン103についても編集エリア101と同様に、Ｍ−アイコン103の数が多くて画面に一度に表示されていない場合はスライダ109によって縦方向にスライドさせてすべてのＭ-アイコンを見る。オペレータは、この中から任意のＭ−アイコン103を編集用のエリア101に移動またはコピーして、編集（つまり、いわゆる番組を作成する）作業を行うことになる。
【００１０】
実際に番組作成に必要な素材（カット）は、磁気記憶装置306に取り込まれた素材（あるいは、１つの動画像のファイルとして編集装置に読み出された一連の素材）の全てであることは少ない。つまりＭ−アイコン103の全てが必要となることは少なく、編集目的に即した一部のＭ−アイコンに関連付けられた素材だけが番組に使用される。また、この素材またはファイルには通常複数のシーンが含まれている。従ってオペレータは、読み出した素材またはファイルに含まれる多くのＭ−アイコンの中から必要な一連のＭ−アイコンを探す作業を行うことになる。
【００１１】
前記素材エリア102中のＭ−アイコン103において、110，111，112，113，114，115，116はアナウンサーが登場するカットである。磁気記憶装置306に記憶されている元のニュース番組は、ニュースの一つ一つの項目についてはじめにアナウンサーが登場してその後本編の内容が付随しているという形式で作成されており、次にアナウンサーが登場した時から後は、別のニュース項目に変わっている。
【００１２】
この元のニュース番組が前記磁気記憶装置306から読み出されると、図２の素材エリア102に示すような並び方になる。
即ち、「Ａ１」から「ｋ」までが時系列に並んでおり、その中の「Ａｎ」で示すＭ−アイコン110からＭ−アイコン116はアナウンサーが登場するカットであり、それ以外のＭ−アイコンはニュースの内容となっている。つまり、「Ａ１」のＭ−アイコン110から「Ａ２」のＭ−アイコン111までの間にある、「Ｂ」から「Ｅ」のＭ−アイコンが１つのニュース項目であり、「Ａ２」のＭ−アイコン111から「Ａ３」のＭ−アイコン112までの間のＦからＫまでのＭ−アイコンが別の１つのニュース項目になっている。オペレータが前記Ｍ−アイコン110ではじまるニュース項目を編集するために「Ａ１」から「Ｅ」のＭ−アイコンを選択して実行ボタンを押すと編集エリア101内にこれら「Ａ１」から「Ｅ」のＭ−アイコンが移動して、ツリー状の構成をとり、ツリー構成の上部にこれらＭ-アイコンを代表する前記「Ａ１」のＭ−アイコンの先頭フレームのデータを表示したＭ-アイコンが自動的に作成される。もちろんこのツリー構成の上部のＭ−アイコンはオペレータの判断により、ツリーを構成するカット「Ａ１」，「Ｂ」，「Ｃ」，「Ｄ」，「Ｅ」に含まれるいずれかのフレームデータに任意に変更することができる。また、もし再考してそのすべてあるいは一部のＭ−アイコンが不要となった場合は、素材エリア102に戻すことや、別のツリー構成に移動・コピー等の作業を行うことができる。同様に、「Ａ２」から「Ｋ」のＭ−アイコンを選択して実行ボタンを押すことにより、編集エリア101内に「Ａ２」から「Ｋ」のＭ−アイコンによるツリー構成ができる（図示せず）。この新たに編集エリア101に作成されたツリー構造の表示の一例を図１２に示す。編集エリア101内表示されたツリー構成1001では「Ａ1」から「Ｅ」のＭ−アイコンの上部の階層に「Ａ１」の先頭フレームを表示したＭ−アイコン1003が作成されている。また、ツリー構成1002では「Ａ２」から「Ｋ」のＭ−アイコンの上部の階層に「Ｇ」の先頭フレームを表示したＭ−アイコン1004’が作成されている。前記ツリー構成1002では最初は「Ａ２」の先頭フレームを表示したＭ−アイコンが上部の階層に表示されていたが、オペレータの指示により「Ｇ」の先頭フレームを表示したＭ−アイコン1004’に変更したものである。前記ツリー構成1002側は一部しか表示されていないが、スライダ107とスライダ108を操作することにより表示の範囲を変更することにより見ることができる。尚、図１２では素材エリア内のＭ−アイコン103は省略して図示していない。
【００１３】
前述のようにニュース番組を編集するときはアナウンサーが出てくるＭ-アイコン110〜116を素材エリア102からオペレータが探し出して、探し出した一連のニュース項目を選択すればよい。しかし実際には、Ｍ-アイコン103の画像サイズが小さく画像の中身を見てアナウンサーが写っているかどうかを迅速かつ正確に判断することが難しいため、前記素材エリア102内のＭ-アイコン103を見て、オペレータがアナウンサーのＭ-アイコン110〜116を探し出すことは、非常に難しかった。
【特許文献１】特願平０９−９６１３１号公報
【発明の開示】
【発明が解決しようとする課題】
【００１４】
以上述べたように、動画像を編集する場合、一つのニュース項目を一連のカットの集合として素材エリア102の中から取出す作業が必要となるが、該素材エリア102中には各ニュース項目毎に区切って表示されているわけではなく、すべてのＭ−アイコンが等間隔で並んでいる。従って、モニタ308の画面上で確実に所望のニュース項目（一連のカットの集合）を探し出すことは、素材エリアに一欄表示されたＭ−アイコンがニュース項目の区切とは無関係に等間隔に並んだだけの状態であるため、オペレータにとって表示される画面が小さくまた確認する画面の数が多いので、時間がかかった上、見逃すこともあった。
【００１５】
本発明の目的は、上記のような欠点を除去し、Ｍ−アイコンの表示方法に加工を施し、必要なＭ−アイコンを見つけ易くすることによって、迅速で確実な動画像編集を実現する方法を提供することにある。
【課題を解決するための手段】
【００１６】
上記の問題を解決するために、記憶装置に取り込んだ画像に対して画像処理を行い、あらかじめ設定した特徴によってフレームを検出し、このフレームが含まれるカット（Ｍ−アイコン）を境にして、表示の形態を変更したものである。
【発明の効果】
【００１７】
本発明によれば、出力結果の表示にアクセントを付けることによって、オペレータが必要とする編集用の画像を容易に、かつ迅速に見つけ出すことができる動画像編集装置を実現できる。
【００１８】
本発明の第２の効果としては、検出するべき対象を決めることによって、オペレータが必要とする編集用の画像を容易に、かつ迅速に見つけ出すことができる動画像編集装置を実現できる。
【発明を実施するための最良の形態】
【００１９】
図３は動画像編集装置の構成の一例を示す図で、従来の技術で説明したものと同じ図である。尚、磁気記憶装置306の代わりに、他の記憶媒体、例えば、ＭＯディスク記憶装置を用いたり、あるいはネットワークを介したリモートファイルを用いてもよい。
【００２０】
図１１はモニタ308に表示された動画像編集装置の編集画面の一例で、従来の技術で説明した図２の編集機能ボタン群105の中に検出処理ボタン106を追加したもので、編集エリア101内のツリー構造が作成されていない図である。
【００２１】
以下、本発明の編集作業を進める時の手順に従って説明する。編集作業に用いる素材はあらかじめ磁気記憶装置306に格納されており、また、カットの変化点により記録された一連の動画像は代表する複数のＭ−アイコン（例えば、「Ａ１」〜「Ｅ」）に分けられている状態から説明を行う。
【００２２】
初めにオペレータは、前記磁気記憶装置306に格納した画像の読み出しを入力装置（マウスあるいはキーボード）309により指示する。すると、ＣＰＵ301は対応する動画像のカットの変化点として各カットの１フレーム目のみを読み出し、図１１に示すようにＣＲＴディスプレイ装置等のモニタ308に表示された編集用ウインドウ100上の素材エリア102中に、Ｍ−アイコン103として表示する。該編集用ウインドウ100はＧＵＩ画面で、編集に使用するための前記Ｍ−アイコン103を表示するための素材エリア102と、実際に前記Ｍ−アイコンを移動またはコピーしてツリー構造104を作成するための編集エリア101および、カットの連結や分割あるいは、トリミング作業や各種特殊効果を行うためのボタン群105、表示画面をスライドさせるスライダ107，108，109等から構成されている。
【００２３】
通常、画像の読み出しを行った段階では、前記Ｍ−アイコン103は前記素材エリア102に順番に左から右、上から下に向かって表示される。オペレータは、編集する内容に合わせて前記Ｍ−アイコン103の中から必要な、任意のＭ−アイコンを選択しツリー構造104を作成していくことによって編集作業を行う。
【００２４】
このときのＭ−アイコン103の並び方は、図１１のように一般的に撮影した順番（時系列）で表示されるが、逆の順番等、任意に設定できる。
ここで、具体例として、従来の技術での説明とまったく同じように編集素材にニュース番組を仮定して、その内容毎に別のニュース番組を作成する（例えばダイジェストを作成するような）場合の編集方法を説明する。
【００２５】
今、磁気記憶装置306に記憶されている元のニュース番組は、ニュースの一つ一つの項目についてはじめにアナウンサーが登場してその後に本編の内容が付随しているという形式で作成されており、次にアナウンサーが登場した時から後は別のニュース項目に変わっている。
【００２６】
この元のニュース番組が前記磁気記憶装置306から読み出されると、図１１の素材エリア102に示すようにカット変化点検出部303が検出したカットに対応したＭ−アイコン103が等間隔で並べられる。
【００２７】
即ち、「Ａ１」から「ｋ」までが時系列に並んでおり、その中の「Ａｎ」で示すＭ−アイコン（110〜116）はアナウンサーが登場するカットであり、それ以外のＭ−アイコンはニュースの内容であるが、すべてのＭ−アイコン103同士の間隔が同一となっている。つまり、「Ａ１」のＭ−アイコン110から「Ａ２」のＭ−アイコン111までの間にある、「Ｂ」から「Ｅ」のＭ−アイコンが１つのニュース項目であり、「Ａ２」のＭ−アイコン111から「Ａ３」のＭ−アイコン112までの間の「Ｆ」から「Ｋ」までのＭ−アイコンが別の１つのニュース項目になっているが、画面上では１つのニュース項目と他のニュース項目とを区別するのが難しい。
【００２８】
図４は本発明の動画像編集方法を行うための特徴検出の操作手順を説明するフローチャートの一例である。上記に述べたように、モニタ308の編集用ウインドウ100上の素材エリア102中のＭ−アイコン103について、オペレータは、特徴検出をしようとする（アナウンサーを検出しようとする）区間のＭ-アイコン103を入力装置309を用いて選択する（ステップ401）。次に、図１１の検出機能ボタン106を入力装置309により押下げることによって図５に示す設定用ウインドウがモニタ308上に表示される（ステップ402）。次に図５の設定用ウインドウにおいて、検索方法を指定し（ステップ403）、検索結果の出力方法を指定し開始ボタンを押す（ステップ404）。これによって、ＣＰＵ301は検出処理を行い（ステップ405）、検出結果を指定された様式で出力する（ステップ406）。
【００２９】
図５は本発明の特徴検出を行うための設定用ウインドウの一例を説明する図で、500は設定用ウインドウ、508は検出方法表示欄、501は“人物”を検出方法とするボタン、502は“カラーバー”を検出方法とするボタン、503は“クレジット”を検出方法とするボタン、509は結果出力の方法表示欄、504は結果を“改行”で表すボタン、505は結果を“囲み”で表すボタン、504は結果を“別ウインドウ”で表すボタン、504は結果を“ツリー構造”で表すボタン、510は検出を開始する開始ボタン、511はこのウインドウを閉じるボタンである。オペレータは図１１に示した編集用ウインドウ100において、素材エリア102中のＭ-アイコン103から必要な範囲を選択して検出機能ボタン106を押し下げる。これによって、図５に示す設定用ウインドウ500がモニタ308上に表示され、オペレータは特徴検出設定を行うことができる。
【００３０】
ここで人物（アナウンサー）を検索し、改行を行うことで特徴検出の結果を表示する方法を選択した場合についての特徴検出設定の一例を説明する。
図５においてオペレータは、検出方法表示欄508から“人物”を検出方法とするボタン501を選択し、検出結果の出力方法表示欄509から結果を“改行”で表すボタンを選択する。そしてオペレータが開始ボタン510を押下げると、ＣＰＵ301は、磁気記録装置306からＭ−アイコンを読み出し、例えば特開平０６−２２３１７９号公報に紹介されている、人物検索アルゴリズムによりアナウンサーを検出する。この際、アナウンサーが検出されたＭ−アイコンのフレーム番号はメモリ302に記録される。このようにして、選択された全てのＭ−アイコンについて検索を行う。今、図１１の素材エリア102に示された「Ａ１」〜「ｋ」までのＭ−アイコン103を全て選択し、検出処理を行った場合、該Ｍ−アイコン103の中で「Ａ１」「Ａ２」・・・「Ａ７」で示される７つのＭ−アイコン110〜116にアナウンサーが検出され、この情報がメモリ302に格納される。ＣＰＵ301は次に、この検出結果に基づいて前述の選択されたＭ−アイコン103を、その先頭から時系列の順に並べて行き、該アナウンサーの検出されたＭ−アイコン110〜116を表示する際に行を変える。このようにして並び替えられた結果の一部を示したのが図１である。図１は素材エリア102のカットが前述の検出結果と結果出力方法に基づき並べ替えられたことを説明する図で、該アナウンサーの検出されたＭ−アイコン110〜114を先頭にして、それぞれのニュース項目の内容を示すＭ−アイコンがそれに続いていて、そのニュース項目のＭ−アイコンが終ると改行されている。この結果、並び替えられたＭ−アイコンの各行は、１つのニュース項目を表しているのがよく分かる（ただし、１つのニュース項目のカット数が多い場合には複数の行にまたがる）。
【００３１】
これにより、オペレータは編集の目的に従って、必要な一連のＭ−アイコン（例えば「Ａ1」〜「Ｅ」のＭ−アイコン群201や「Ｌ」〜「Ｐ」のＭ−アイコン群202）を選択することが容易になる。尚、表示画面（素材エリア102）の大きさの都合上、「Ａ６」のＭ-アイコン115と「Ａ7」のＭ-アイコン116が表示されていないが、スライダ109を操作することによって表示画面を上下に移動させて見ることができる。また、図１は編集用ウインドウ100の上側を省略して描いてある。
【００３２】
次に他の検出方法と表示方法について説明する。
検出方法については、上記の他にカラーバーを対象とするものやクレジットを対象とするものがあり、それぞれ図５の“カラーバー”の検出ボタン502か“クレジット”の検出ボタン503を押し下げることによって操作する。これらは、撮影時などに、その先頭にクレジットを挿入したり、カラーバーを挿入しておき、これを検出対象とするものである。
【００３３】
検出結果の表示方法については上述の改行を行う他に、いくつかの方法がある。その１つは、検出した１つのニュース項目のＭ−アイコン群を枠で囲んで表示する方法で、結果を“囲み”で表すボタン505を押し下げる。この手法で検出結果を表示した場合には図６に示すように、アナウンサーが検出されたＭ−アイコン「Ａ１」「Ｂ」・・・「Ｅ」までを四角形の枠601で囲む方法（枠の色や模様等を変化させることで、より分かり易く表示することも可能である）方法がある。
【００３４】
また、枠でＭ-アイコンを囲む方法の他に図７に示すように「▼」記号のような印701を付ける方法がある。この操作を行う場合、図５において結果を“囲み”で表すボタン505を押し下げると設定用ウインドウ500の前面に図示しない“囲みの種類”を選択するウインドウが表示され、該表示された“囲みの種類”を選択するウインドウ内の例えば“印”を付けるボタンを選択することにより、出力結果は図７のような印を付ける表示となり、前記“囲みの種類”を選択するウインドウが閉じ、検出結果の出力方法表示欄509内の結果を“囲み”で表すボタン505は結果を“印”で表すボタンに変更される。尚、印701には「▼」記号以外の形状のものや、色，模様，塗りつぶし，網かけ、等が使用されて良いことは明らかである。また、図６と図７では編集用ウインドウ100の上側を省略して描いてある。
【００３５】
他の検出結果の表示方法としては、検出結果を別のウインドウに表示する方法で、別ウインドウ表示ボタン506を押し下げる。この方法で検出結果を表示した場合の例を図８および図９に示す。この場合には、素材エリア102に表示を行わず、別表示用のウインドウ800または900を編集用ウインドウ100の前面に作成して該別表示用のウインドウ800または900に表示を行う。従って編集エリア101や素材エリア102の表示画面の大きさに影響されず、一度に多くのＭ−アイコンを表示することが可能となり編集作業がより効率よく行うことができる。更に、この別表示用ウインドウ800または900に表示する方法も、アナウンサーを検出したＭ−アイコンで改行して表示する方法801やツリー構造901にして表示する方法などができる。また、この別表示用ウインドウ800，900は任意に表示の大きさを変更することができ、モニタ308上の表示位置も変更可能である。
【００３６】
尚、図９において、編集エリア101のツリー構成104と別表示用ウインドウ900のツリー構成901が異なるが、該別表示用ウインドウ900の内容をオペレータが編集に使うことを決めた時点で、該別表示用ウインドウ900内の図示しない実行ボタンを押し下げることによって、前記編集エリア101に前記別表示用ウインドウ900のツリー構成901が追加されるものである。また、別表示用ウインドウ900内においてもＭ−アイコンの移動やコピー、素材エリア102とのＭ−アイコンの追加・削除等の編集が可能である。
【００３７】
本発明の他の実施例として、検出結果を直接ツリー構造にして編集エリア101に表示する方法がある。この場合、素材エリア102のＭ−アイコン103の選択を省略し、直接特徴検出設定用ウインドウ500を表示佐瀬、ツリー構造表示ボタン507を押し下げる。この方法では、オペレータが自分でツリー構造を作成する手間を省くことができる。ここで該ツリー構造の表示画面としては、図１の編集用ウインドウ100内の編集エリア101に直接表示することでもよいし、図９のように別ウインドウ900内に表示してもよい。
【００３８】
検出結果を表示する他の方法としては他に、１つのニュース項目内のＭ-アイコン同士の配置の間隔とニュース項目同士の間隔を異なるものにする（例えば、「Ａ１」から「Ｅ」のＭ-アイコンの配置の間隔を狭くとるかゼロにしたり、一部重ね合せ、前記「Ｅ」のＭ-アイコンと次のニュース項目のはじまりである「Ａ２」のＭ-アイコンとのハイチの間隔は広くとるように表示する。）方法や、「Ａ１」「Ａ２」等のニュース項目のはじまりであるＭ-アイコンを大きく表示させ、他の「Ｂ」〜「Ｅ」，「Ｆ」〜「Ｋ」のＭ−アイコンは小さく表示させる方法もある。
【００３９】
以上述べた検出方法や表示方法は、それぞれ単独で表示される例として説明したが、例えば、改行して、更に枠で囲む等複数の方法を採用することも可能であるし、図５に示した種類だけでなく、編集装置の使用目的や、素材の種類に応じて追加できることは言うまでもない。図１３は本発明の素材エリア中の表示の他の実施例で、「Ａ１」，「Ａ２」，・・・，「Ａ７」のＭ−アイコン110’，111’，・・・，116’は表示が大きく、他の「Ｂ」，・・・，「Ｅ」，「Ｆ」，・・・，「Ｋ」，「Ｌ」，・・・，「Ｒ」，「Ｓ」，・・・，「Ｖ」，「Ｗ」，「Ｘ」，・・・「ｈ」，「ｉ」，・・・，「ｋ」のＭ−アイコン103はそれより小さい画面である。また、Ｍ−アイコンそれぞれは一部が重なっている。また図１４は図１３において、編集エリア101内のＭ−アイコン「Ａ２」と「Ｆ」、・・・，「Ｋ」の階層構造の上部のＭ−アイコン1004が図１０に示した例のように「Ａ２」のフレームを表示したＭ−アイコン1004から「Ｇ」のフレームを表示したＭ−アイコン1004’に変更した場合の変化を表している。オペレータがこの操作を行うと瞬時に素材エリア102内の「Ａ２」のＭ−アイコンはサイズが小さいＭ−アイコン111となり、かつ「Ｇ」のＭ−アイコンは大きなサイズのＭ−アイコン103’に変わる。また逆に、オペレータが、素材エリア102内の小さなサイズのＭ−アイコン103の中から、階層の上部に上げたいＭ−アイコンを選択すると該アイコンは大きなサイズのＭ−アイコンとなり、元の大きなサイズのＭ−アイコンは小さなサイズに変わる。そしてそれに連動して、編集エリア101内の関連のツリー構成の階層上部のＭ−アイコンも交代する。
【００４０】
また、検出用のデータはＭ−アイコン（８０×６０画素のデータ）ではなく、たとえばＮＴＳＣ方式のフル画像（６４０×４８０画素のデータ）のようになんであってもよい。
また、上述した動画像編集に用いられる方法及び装置の動作を記録媒体に記録された手順によって行ってもよい。尚、この動画像編集方法及び装置の手順が記録された記録媒体は、種々の形態を用いることができる
【図面の簡単な説明】
【００４１】
【図１】本発明の動画像編集装置の素材エリアの表示の一例を示す図
【図２】従来の動画像編集装置の編集用ウインドウの表示例を示す図
【図３】動画像編集装置の構成の一実施例を示すブロック図
【図４】本発明の動画像編集装置の特徴検出設定操作手順の一例を示すフローチャ  ート
【図５】本発明に関わる動画像編集装置の設定用ウインドウの表示の一例を示す図
【図６】本発明の動画像編集装置の素材エリアの表示の他の例を示す図
【図７】本発明の動画像編集装置の素材エリアの表示の他の例を示す図
【図８】本発明の動画像編集装置の別表示用ウインドウの表示の一例を示す図
【図９】本発明の動画像編集装置の別表示用ウインドウの表示の他の一例を示す図
【図１０】本発明の動画像編集装置の編集エリアの表示の一例を示す図
【図１１】本発明の動画像編集装置の編集用ウインドウの表示の一例を示す図
【図１２】従来の動画像編集装置の編集用ウインドウの表示の一例を示す図
【図１３】本発明の動画像編集装置の編集用ウインドウの表示の他の実施例を示す  図
【図１４】本発明の動画像編集装置の編集用ウインドウの表示の他の実施例を示す  図
【符号の説明】
【００４２】
100：編集用ウインドウ、 101：編集エリア、 102：素材エリア、 103：Ｍ−アイ  コン、 105：編集機能ボタン群、 106：検出処理ボタン、 107，108，109：スライ  ダ、 110，111，112，113，114，115，116：アナウンサーが登場したＭ−アイ  コン、 201，202：Ｍ−アイコン群、 301：ＣＰＵ、 302：メモリ、303：カット変  化点検出部、 304：ビデオインターフェース、 305：ＶＴＲ、 306：磁気記憶装置、   307：フレームバッファ、 308：モニタ、 309：入力装置、 500：設定用ウインドウ  、 501，502，503：検出方法指定ボタン、504，505，506，507：検出結果表示  方法指定ボタン、 508：検出方法表示欄、509：結果出力方法表示欄、 510：開始ボ  タン、 511：ウインドウを閉じるボタン、 601：枠、 701：印、 800：検出結果別表  示用ウインドウ、 801：Ｍ−アイコン、 900：編集エリア別表示用ウインドウ、 901  ，1001，1002：ツリー構成、 1003，1004：ツリー構成上部のＭ−アイコン。
【図１】
2005130525.tif 000003
【図２】
2005130525.tif 000004
【図３】
2005130525.tif 000005
【図４】
2005130525.tif 000006
【図５】
2005130525.tif 000007
【図６】
2005130525.tif 000008
【図７】
2005130525.tif 000009
【図８】
2005130525.tif 000010
【図９】
2005130525.tif 000011
【図１０】
2005130525.tif 000012
【図１１】
2005130525.tif 000013
【図１２】
2005130525.tif 000014
【図１３】
2005130525.tif 000015
【図１４】
2005130525.tif 000016